【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
爪、爪床、および周辺組織を治療するための治療装置であって、
電源と、
前記電源に作動可能なように接続された少なくとも１つの発光ダイオードであって、約８７０ｎｍ〜約９３０ｎｍの波長の光を放出する前記少なくとも１つの発光ダイオードと、
内表面および外表面ならびに指収容領域を有するチャンバであって、前記指収容領域が少なくとも底面を有する、チャンバと、
を含み、
少なくとも１つの発光ダイオードが、所望の場合に前記少なくとも１つの発光ダイオードが前記指収容領域を照射できる向きで前記チャンバの内表面に取り付けられている、
治療装置。
【請求項２】
少なくとも１つの追加の発光ダイオードをさらに含む、請求項１に記載の装置であって、
前記発光ダイオードは、約３８３ｎｍの波長を有する光を発生させることが可能であり、
前記発光ダイオードは、前記チャンバの内表面に取り付けられており、
前記発光ダイオードは、前記発光ダイオードが前記チャンバの前記指収容領域を紫外光で照射できる向きで固定されている、
装置。
【請求項３】
上面および底面を有するヒンジ式の蓋が前記チャンバの上部を形成し、前記少なくとも１つの発光ダイオードが前記ヒンジ式の蓋の底面に接続されている、請求項１に記載の装置。
【請求項４】
前記電源に作動可能なように接続された調整可能な柱をさらに含む、請求項１に記載の装置であって、
前記柱は少なくとも１つの発光ダイオードを含み、
前記柱は、それらが使用者の指と指の間に位置できるように前記指収容領域の底面に挿入可能である、
装置。
【請求項５】
前記指収容領域の底部に配置された交換可能な板をさらに含む、請求項１に記載の装置。
【請求項６】
少なくとも２つの発光ダイオードが存在する、請求項１に記載の装置であって、
前記発光ダイオードは、それぞれ約８７０ｎｍおよび９３０ｎｍの波長の光を放出する、
装置。
【請求項７】
前記チャンバの外表面は、所定の治療計画を利用する前記装置のステータスを示すための複数の発光ダイオードを含む、請求項１に記載の装置。
【請求項８】
爪、爪床、および周辺組織を治療するための治療装置であって、
電源と、
前記電源に作動可能なように接続された複数の発光ダイオードであって、約８７０ｎｍおよび約９３０ｎｍの波長の光を放出する前記発光ダイオードと、
約３８３ｎｍの波長の光を発生させることが可能な少なくとも１つの紫外ライトと、
内表面および外表面ならびに指収容領域を有するチャンバであって、
前記指収容領域が少なくとも底面を有し、
前記指収容領域は、使用者が前記チャンバ内部に少なくとも１本の指を快適に配置させるのに十分なほど広い、
チャンバと、
柱と柱の間のスペースを調整して、異なるサイズの潜在的使用者の指に適合するための調整機構と、
を含む治療装置。
【請求項９】
ヒンジ式の蓋が前記指収容領域の上部を形成し、前記複数の発光ダイオードが前記ヒンジ式の蓋に接続されている、請求項８に記載の装置。
【請求項１０】
前記指収容領域の底部が交換可能な板を含む、請求項８に記載の装置。
【請求項１１】
前記柱が、少なくとも１つの発光ダイオードを含み、前記装置に有線接続されているか、または無線である、請求項８に記載の装置。
【請求項１２】
前記交換可能な板は、前記チャンバの前記指収容領域を超えて広がることも可能である、請求項１０に記載の装置。
【請求項１３】
前記チャンバの外表面は、所定の治療計画を利用する前記装置のステータスを示すための複数の発光ダイオードを含む、請求項８に記載の装置。
【請求項１４】
爪および皮膚の真菌の予防のための非熱的な治療方法であって、
（ａ）治療領域を有する治療装置を提供することであって、
前記治療装置が、
電源と、
前記電源に作動可能なように接続された複数の発光ダイオードであって、前記複数の発光ダイオードの少なくとも１つは、８７０ｎｍ〜９３０ｎｍの波長の光を放出し、
前記複数の発光ダイオードの少なくとも１つは、３８３ｎｍの波長の光を放出する、複数の発光ダイオードと、
を含み、
前記治療領域が、指離間機構の一部を収容することによって前記指離間機構を前記治療領域内に配置するように構成された複数の開口を有する底面を含む、
前記治療領域を有する治療装置を提供することと、
（ｂ）第１の所定の時間にわたって前記治療装置の前記治療領域において指に８７０ｎｍ〜９３０ｎｍの波長の光を当てることと、
を含む、爪および皮膚の真菌の予防のための非熱的な治療方法。
【請求項１５】
爪および皮膚の真菌の予防のための非熱的な治療方法であって、
（ａ）少なくとも１本の指をチャンバ内部に配置することであって、
前記チャンバが内表面、外表面、指離間機構、および指収容領域を有し、
前記チャンバが少なくとも２つの発光ダイオードを有し、前記少なくとも２つの発光ダイオードのうちの少なくとも１つが、３８３ｎｍの波長を有する光を発生させることが可能であり、少なくとも１つの前記発光ダイオードは、８７０ｎｍ〜９３０ｎｍの波長を有する光が発生するように構成され、前記少なくとも２つの発光ダイオードは、それぞれ前記チャンバの内表面に取り付けられており、
前記指離間機構が、第１の表面と、第２の表面と、少なくとも２つのスペーサー内にそれぞれ埋め込まれた少なくとも１つ光源を有する少なくとも２つのスペーサーとを含み、
前記指収容領域が上面および底面を有する、
少なくとも１本の指をチャンバ内部に配置することと、
（ｂ）少なくとも１本の指を前記指離間機構の開口に配置することと、
（ｃ）前記少なくとも２つの発光ダイオードのうちの少なくとも１つに電力供給し、８７０ｎｍ〜９３０ｎｍの波長の光を発生させ、さらに、前記指離間機構の前記少なくとも１つの光源を発光させることと、
（ｄ）第１の所定の時間にわたって前記チャンバ内に前記指をとどまらせることと、
を含む、爪および皮膚の真菌の予防のための非熱的な治療方法。
【請求項１６】
ステップ（ｄ）の後に浄化サイクルが開始し、前記浄化サイクルは、第２の所定の時間にわたって３８３ｎｍの波長の光により前記チャンバを照射することからなる、ステップ（ｅ）をさらに含む、請求項１５に記載の方法。
【請求項１７】
装置がプロセッサおよびメモリを含み、
前記プロセッサおよび前記メモリは、少なくとも１つの所定の治療サイクルを開始および終了するように構成されている、
請求項１５に記載の方法。
【請求項１８】
前記第１の所定の時間の一部にわたって、３８３ｎｍの波長を有する光を発生させるように構成された少なくとも１つの前記発光ダイオードを点灯させるステップ（ｆ）をさらに含む、請求項１５に記載の方法。
【請求項１９】
滅菌装置であって、
電源と、
前記電源に作動可能なように接続された少なくとも１つの発光ダイオードであって、約８７０ｎｍ〜約９３０ｎｍの波長の光を放出する前記発光ダイオードと、
正面端および遠位端を有するスパインと、
上面および底面ならびに正面端および遠位端を有する複数のフィンガーであって、フィンガーの遠位端が前記スパインにヒンジで取り付けられており、前記少なくとも１つの発光ダイオードがフィンガーに取り付けられている、複数のフィンガーと、
を含む滅菌装置。
【請求項２０】
平坦な正面端および曲線的な遠位端を有する踵プレートをさらに含む、請求項１９に記載の装置であって、
前記踵プレートは前記スパインの遠位端に接続されており、
前記踵プレートは少なくとも２つの発光ダイオードを含み、
第１の発光ダイオードは、約８７０ｎｍおよび約９３０ｎｍの波長を有する光を放出するように構成されており、
第２の発光ダイオードは、約３８３ｎｍの波長を有する光を放出するように構成されており、
前記少なくとも２つの発光ダイオードは、前記踵プレート全体にわたって均等に離間されている、
装置。
【請求項２１】
前記スパインは、第１および第２の中空シリンダーならびに圧縮ばねを含み、
前記第１の中空シリンダーを前記第２の中空シリンダー内に配置できるように、前記第１の中空シリンダーは、前記第２の中空シリンダーよりも直径が小さく、
前記２つの中空シリンダーが伸長位置で静止するが、適切な力を印加すると前記第１および第２の中空シリンダーが縮んで、より小さな環境での配置に適合するように、前記第１の中空シリンダーと前記第２の中空シリンダーとの間に前記圧縮ばねが挿入されている、
請求項２０に記載の装置。
【請求項２２】
治療装置であって、
電源と、
前記電源に作動可能なように接続された少なくとも１つの発光ダイオードであって、約８７０ｎｍおよび約９３０ｎｍの波長の光を放出する前記少なくとも１つの発光ダイオードと、
内表面および外表面ならびに指収容領域を有するチャンバと
を含み、前記指収容領域が少なくとも底面を有し、少なくとも１つの発光ダイオードが、所望の場合に前記少なくとも１つの発光ダイオードが前記指収容領域を照射できる向きで前記チャンバの内表面に取り付けられている、治療装置；および
滅菌装置であって、
電源と、
前記電源に作動可能なように接続された少なくとも１つの発光ダイオードであって、約８７０ｎｍおよび約９３０ｎｍの波長の光を放出する前記発光ダイオードと、
正面端および遠位端を有するスパインと、
上面および底面ならびに正面端および遠位端を有する複数のフィンガーであって、フィンガーの遠位端が前記スパインにヒンジで取り付けられており、前記少なくとも１つの発光ダイオードがフィンガーに取り付けられている、複数のフィンガーと、
を含む滅菌装置、
を含む、真菌を治療するための治療キット。
【請求項２３】
前記スパインの遠位端に接続された、平坦な正面端および曲線的な遠位端を有する踵プレートを前記滅菌装置がさらに含み、
前記踵プレートは少なくとも２つの発光ダイオードを含み、
第１の発光ダイオードは、約８７０ｎｍおよび約９３０ｎｍの波長を有する光を放出するように構成されており、
第２の発光ダイオードは、約３８３ｎｍの波長を有する光を放出するように構成されている、
請求項２２に記載の治療キット。
【請求項２４】
指離間機構をさらに含む、請求項１に記載の治療装置。
【請求項２５】
前記指離間機構は、
第１の表面が第２の表面から離れている、第１の表面および第２の表面と、
前記第１の表面と前記第２の表面との間に配置されており、前記第１の表面および前記第２の表面のそれぞれに連結されている、少なくとも２つのスペーサーと、
を含み、
前記少なくとも２つのスペーサーのそれぞれが、それらに含まれる少なくとも２つの光源を有する、
請求項２４に記載の治療装置。
【請求項２６】
前記少なくとも１つの発光ダイオードに連結されたダイアルをさらに含む、請求項１に記載の治療装置。
【請求項２７】
回転可能な機構を介して前記少なくとも１つのダイアルに連結された、複数の発光ダイオードが存在し、
前記ダイアルの回転が前記複数の発光ダイオードを一斉に回転させる、
請求項２６に記載の治療装置。
【請求項２８】
前記ヒンジ式の蓋が取り外し可能である、請求項３に記載の治療装置。
【請求項２９】
前記少なくとも２つの発光ダイオードの少なくとも１つが、±１０°の視野角を有する、請求項１５に記載の方法。
【請求項３０】
前記少なくとも２つの発光ダイオードが、１００μｓ以下のパルス幅を有する、請求項１５に記載の方法。
【請求項３１】
前記少なくとも２つの発光ダイオードが、前記チャンバの上部を形成するヒンジ式の蓋に結合されており、前記ヒンジ式の蓋は、前記チャンバから取り外されるように回転されたときに、前記少なくも２つの発光ダイオードにより光が放出されるのを防止するように構成されている、請求項１５に記載の方法。
【請求項３２】
前記指離間機構が、前記チャンバの底部における複数の開口の１つに存在するように構成された少なくとも１つのピンを含む、請求項１４に記載の方法。
【請求項３３】
１．０Ａのピーク電流が前記パルス幅で維持される、請求項３０に記載の方法。